(57)【要約】【課題】出庫しようとしている部品が出庫部品であるかどうかをより正確に特定することができる出庫部品特定方法を提供する。【解決手段】出庫部品特定方法はスキャナ部１０Ｂ及び液晶表示ディスプレイ１０Ｆを備えたＨＴ１０を用いる。また、この出庫部品特定方法はスキャナ部１０Ｂで読み取った第１コードイメージ３０Ｋに対応する部品５０Ｂの全体画像２０Ａ、特徴部画像２０Ｄ、部品品番３０Ｇ、及び棚番号３０Ｆ等の情報をデータベースから取得し、全体画像２０Ａと棚番号３０Ｆとを液晶表示ディスプレイ１０Ｆに表示する工程と、第２コードイメージ５０Ｆを読み取って取得した情報と、部品品番３０Ｇ又は棚番号３０Ｆの少なくとも一方とが一致すると、特徴部画像２０Ｄと部品品番３０Ｇとを表示する工程と、第３コードイメージ７０Ｂを読み取って取得した情報と部品品番３０Ｇとが一致すると、部品５０Ｂの出庫指示数３０Ｊを表示する工程を備えている。【選択図】図６
2018150126.tif 000002
【特許請求の範囲】
【請求項１】
情報コードを読み取るスキャナ部と、
前記情報コードを前記スキャナ部で読み取って前記情報コードに対応付けられた情報を表示する表示部と、
を備えた携帯型端末を用いる出庫部品特定方法であって、
出庫する出庫部品についての情報を有する出庫指示書に印字された第１情報コードを前記スキャナ部で読み取って、前記出庫部品についての情報が保存されたデータベースから、前記第１情報コードに対応する前記出庫部品の全体画像、前記出庫部品の特徴を示す特徴部画像、前記出庫部品の部品品番、及び前記出庫部品が収納される棚の場所を示す棚番号を含む情報を取得して、前記全体画像と共に、少なくとも前記棚番号を前記表示部に表示させる工程と、
前記棚の場所についての情報を有する棚ラベルに印字された第２情報コードを前記スキャナ部で読み取って取得した情報と前記部品品番又は前記棚番号の少なくとも一方とが一致すると、前記特徴部画像と共に、少なくとも前記部品品番を前記表示部に表示させる工程と、
収納された前記出庫部品についての情報を有する現品票に印字された第３情報コードを前記スキャナ部で読み取って取得した情報と、前記部品品番とが一致すると、少なくとも前記出庫部品の出庫指示数を前記表示部に表示させる工程と、
を備えることを特徴とする出庫部品特定方法。
【請求項２】
情報コードを読み取るスキャナ部と、
前記情報コードを前記スキャナ部で読み取って前記情報コードに対応付けられた情報を表示する表示部と、
前記表示部に表示された情報を切り替える操作部と、
を備えた携帯型端末を用いる出庫部品特定方法であって、
出庫する出庫部品についての情報を有する出庫指示書に印字された第１情報コードを前記スキャナ部で読み取って、前記出庫部品についての情報が保存されたデータベースから、前記第１情報コードに対応する前記出庫部品の全体画像、前記出庫部品の特徴を示す特徴部画像、及び前記出庫部品の部品品番を含む情報を取得して、前記出庫部品の全体画像又は前記特徴部画像のいずれか一方と共に、少なくとも前記部品品番を前記表示部に表示させる工程と、
前記操作部を操作して、前記表示部に表示された前記全体画像又は前記特徴部画像のいずれか一方から他方へ切り替える工程と、
収納された前記出庫部品についての情報を有する現品票に印字された第３情報コードを前記スキャナ部で読み取って取得した情報と、前記部品品番とが一致すると、少なくとも前記出庫部品の出庫指示数を表示させる工程と、
を備えることを特徴とする出庫部品特定方法。
【請求項３】
前記特徴部画像には、前記出庫部品の寸法が表示されていることを特徴とする請求項１又は２に記載の出庫部品特定方法。
【発明の詳細な説明】
【技術分野】
【０００１】
本発明は出庫部品特定方法に関するものである。
【背景技術】
【０００２】
製品を大量に製造する工場等では、製品に用いる様々な種類の部品を工場内に設けられた倉庫等に保管して管理する必要がある。このため、これら部品は互いに区別して管理するため、部品毎に部品品番や部品名等が互いに対応付けされて付される。さらに、これら部品を倉庫に保管する場合、これら部品が倉庫内の何処にいくつ保管されているか等を把握する必要があるため、これら部品の部品品番や部品名に保管されている場所の番号である棚番等を対応付けする方法が考えられる。そして、これら部品を出庫する際には、出庫する部品の部品品番、部品名、棚番、及び出庫指示数等が記載された出庫指示書にしたがって作業者が部品を出庫することになる。仮に、作業者が出庫指示書に記された内容を目視して確認し部品を出庫する場合、出庫する部品の種類や出庫指示数等を誤るおそれがある。
【０００３】
そこで、特許文献１に記載されている技術を用いることが考えられる。特許文献１では、作業者が出庫部品確認用の携帯型端末であるハンディターミナルを携帯して倉庫内を移動する。そして、移動した先に保管されている製品に付されたバーコードを読み取り、バーコードに含まれた製品に関するデータをハンディターミナルに読み取ることができる。また、作業者は出庫する製品のバーコードが印字された出荷作業指示一覧表（出庫指示書）を合わせて携帯している。これにより、作業者は出荷作業指示一覧表に付された製品のバーコードをハンディターミナルで読み取り、バーコードに含まれた製品に関するデータをハンディターミナルに取り込むことができる。こうして、作業者は出荷作業指示一覧表に印字されたバーコードと製品に付されたバーコードとをハンディターミナルで比較して、出庫する製品であるかどうかを確認することができる。
【先行技術文献】
【特許文献】
【０００４】
【特許文献１】特開２００３−２４１５号公報
【発明の概要】
【発明が解決しようとする課題】
【０００５】
しかし、特許文献１は、バーコードが本来付すべき製品ではなく、誤った製品に付されていた場合、これを判別することができない。そこで、ハンディターミナルの表示部に部品の全体画像を表示させて情報コードが誤った部品に付されていないかどうかを判別することが考えられる。しかし、部品毎の違いが部品の細部である等、全体画像では正確に確認できない場合がある。一方、全体画像の変わりに細部のみの画像を表示した場合、部品の全体的な形状がわからないため、部品の大まかな種類を判別し難くなるおそれがある。
【０００６】
本発明は、上記従来の実情に鑑みてなされたものであって、出庫しようとしている部品が出庫部品であるかどうかをより正確に特定することができる出庫部品特定方法を提供することを解決すべき課題としている。
【課題を解決するための手段】
【０００７】
第１発明の出庫部品特定方法は、スキャナ部、及び表示部を備えた携帯型端末
を用いて実行される。スキャナ部は情報コードを読み取る。表示部は情報コードをスキャナ部で読み取って情報コードに対応付けられた情報を表示する。
また、第１発明の出庫部品特定方法は、出庫する出庫部品についての情報を有する出庫指示書に印字された第１情報コードをスキャナ部で読み取って、出庫部品についての情報が保存されたデータベースから、第１情報コードに対応する出庫部品の全体画像、出庫部品の特徴を示す特徴部画像、出庫部品の部品品番、及び出庫部品が収納される棚の場所を示す棚番号を含む情報を取得して、全体画像と共に、少なくとも棚番号を表示部に表示させる工程と、
棚の場所についての情報を有する棚ラベルに印字された第２情報コードをスキャナ部で読み取って取得した情報と部品品番又は棚番号の少なくとも一方とが一致すると、出庫部品の特徴を示す特徴部画像と共に、少なくとも部品品番を表示部に表示させる工程と、
収納された出庫部品についての情報を有する現品票に印字された第３情報コードをスキャナ部で読み取って取得した情報と、部品品番とが一致すると、少なくとも出庫部品の出庫指示数を表示部に表示させる工程を備えている。
【０００８】
第１発明の出庫部品特定方法は、表示部に部品の全体画像、及び部品の特徴部画像を表示することができる。これにより、この出庫部品特定方法は、部品の全体画像を用いて出庫しようとしている部品が出庫部品であるかどうかおおよその確認を行い、さらに部品の特徴部画像を用いて出庫しようとしている部品が出庫部品であるかどうか詳しく確認することができる。つまり、この出庫部品特定方法は部品の全体画像、及び部品の特徴部画像を用いて出庫しようとしている部品が出庫部品であるかどうか確認することができるため、出庫しようとしている部品が出庫部品であるかどうかを確実に判別することができる。また、この出庫部品特定方法は情報コードをスキャナ部で読み取ることをきっかけにして部品の全体画像、及び部品の特徴部画像を表示することができる。つまり、この出庫部品特定方法は部品の全体画像、及び部品の特徴部画像を表示するための作業を行うことなく表示部に画像を表示することができるため、操作性が良好である。
【０００９】
第２発明の出庫部品特定方法は、スキャナ部、表示部、及び操作部を備えた携帯型端末を用いて実行される。スキャナ部は情報コードを読み取る。表示部は情報コードをスキャナ部で読み取って情報コードに対応付けられた情報を表示する。操作部は表示部に表示された情報を切り替える。
また、第２発明の出庫部品特定方法は、出庫する出庫部品についての情報を有する出庫指示書に印字された第１情報コードをスキャナ部で読み取って、出庫部品についての情報が保存されたデータベースから、第１情報コードに対応する出庫部品の全体画像、出庫部品の特徴を示す特徴部画像、及び出庫部品の部品品番を含む情報を取得して、出庫部品の全体画像又は特徴部画像のいずれか一方と共に、少なくとも部品品番を表示部に表示させる工程と、
操作部を操作して、表示部に表示された全体画像又は特徴部画像のいずれか一方から他方へ切り替える工程と、
収納された出庫部品についての情報を有する現品票に印字された第３情報コードをスキャナ部で読み取って取得した情報と、部品品番とが一致すると、少なくとも出庫部品の出庫指示数を表示させる工程とを備えている。
【００１０】
第２発明の出庫部品特定方法は、表示部に部品の全体画像、及び部品の特徴部画像を表示することができる。これにより、この出庫部品特定方法は、部品の全体画像を用いて出庫しようとしている部品が出庫部品であるかどうかおおよその確認を行い、さらに部品の特徴部画像を用いて出庫しようとしている部品が出庫部品であるかどうか詳しく確認することができる。つまり、この出庫部品特定方法は部品の全体画像、及び部品の特徴部画像を用いて出庫しようとしている部品が出庫部品であるかどうか確認することができるため、出庫しようとしている部品が出庫部品であるかどうかを確実に判別することができる。また、この出庫部品確認用の携帯型端末は、操作部を操作することによって、部品の全体画像、及び部品の特徴部画像を切り替えて表示することができる。つまり、この出庫部品確認用の携帯型端末は部品の全体画像、及び部品の特徴部画像を作業者の所望のときに切り替えることができる。
【００１１】
また、第１発明、及び第２発明の出庫部品特定方法は、情報コードが本来付すべき部品でなく、誤った部品に付されていたり、部品毎の違いが部品の細部であったりする等、全体画像では正確に出庫部品であるかどうかを特定することが難しい場合であっても、出庫部品を確実に特定することができる。
【００１２】
したがって、第１発明、及び第２発明の出庫部品特定方法は、出庫しようとしている部品が出庫部品であるかどうかをより正確に特定することができる。
【００１３】
本発明の出庫部品特定方法の特徴部画像には、出庫部品の寸法が表示され得る。この場合、寸法はほぼ同じで、全体画像では違いを判別することができない部品が存在する場合についても、出庫部品を特定することができる。
【図面の簡単な説明】
【００１４】
【図１】実施形態１〜３の出庫部品確認用の携帯型端末であるハンディターミナルを示す概略図である。
【図２】部品の全体画像、及び部品の特徴部画像の例を示す概略図である。
【図３】出庫指示書の１例を示す概略図である。
【図４】棚、及び部品が棚に保管される形態を示す概略図である。
【図５】現品票の１例を示す概略図である。
【図６】実施形態１の出庫部品特定方法を示すフローチャートである。
【図７】実施形態１のハンディターミナルの液晶表示ディスプレイに表示される画面を示す概略図である。
【図８】実施形態２の出庫部品特定方法を示すフローチャートである。
【図９】実施形態２のハンディターミナルの液晶表示ディスプレイに表示される画面を示す概略図である。
【図１０】実施形態３のハンディターミナルの液晶表示ディスプレイに表示される画面を示す概略図である。
【発明を実施するための形態】
【００１５】
本発明の出庫部品確認用の携帯型端末を具体化した実施形態１について、図面を参照しつつ説明する。
【００１６】
＜実施形態１＞
実施形態１の出庫部品確認用の携帯型端末であるハンディターミナル（以降、ＨＴという）１０は、図１に示すように、ＨＴ本体１０Ａ、スキャナ部１０Ｂ、通信部（図示せず）、ユーザインターフェース（以降、ＵＩという）１０Ｃ、制御部（図示せず）、及び電源部（図示せず）を備えている。
【００１７】
ＨＴ本体１０Ａは、外形が一方向に長い箱状をなしている。スキャナ部１０Ｂは、ＨＴ本体１０Ａの長手方向の一方の端部に設けられている。スキャナ部１０Ｂは光源、及び光センサを有している（図示せず。）。スキャナ部１０Ｂは一次元コードや、マトリクス型二次元コード等の情報コードであるコードイメージに光源から発した光を照射して、コードイメージから反射した光を光センサによって検知する。そして、光の反射率に基づいて得られる信号をデコードすることによってコードイメージに含まれたデータを取得することができる。つまり、スキャナ部１０Ｂはコードイメージを読み取る。
【００１８】
通信部はＨＴ本体１０Ａ内に設けられている。通信部はデータサーバ（図示せず）と無線通信することができる。ここで、データサーバとは、管理する様々な種類の部品のそれぞれの組立品番、部品品番、部品名、部品の全体画像、部品の特徴部を示す特徴部画像、部品が収納されて保管されている棚を示す番号である棚番、部品が棚に現在収納されて保管されている数である部品の在庫数、及び出庫指示数等のデータを対応付けて記憶して、データベースを形成している。さらに、データベースには、複数の管理番号が記憶されている。これら管理番号のそれぞれには、データベースを形成する、出庫する複数種類の部品の部品品番、部品名、部品の全体画像、部品の特徴部画像、棚番、部品の在庫数、及び出庫指示数等のデータが対応付けられている。つまり、管理番号は出庫する出庫部品の出庫計画を管理する番号である。なお、部品の特徴部画像はその部品の違いが部品の特徴部のみである場合に、組立品番、部品品番、部品名、部品の全体画像、部品が収納されて保管されている棚を示す番号である棚番、部品が棚に現在収納されて保管されている数である部品の在庫数、及び出庫指示数等のデータに対応付けられてデータベースに記憶されている。
【００１９】
データサーバは例えばＰＣ（パーソナルコンピュータ）等に内蔵されるハードディスクやメモリ等である。データベースの部品の全体画像、及び部品の特徴部画像は、管理者等がＰＣを操作することによって編集することができる。ＨＴ１０はデータサーバと通信できる所定の範囲内において通信部がデータサーバと無線通信することができる。
【００２０】
ＵＩ１０Ｃは、ＨＴ本体１０Ａの表面に設けられている。ＵＩ１０Ｃは操作部である入力部１０Ｄ、及び出力部１０Ｅを有している。入力部１０ＤはテンキーＴ、実行ボタンＳ、切替えボタンＢ、及び切替えボタンＮ等を具備している。テンキーＴは作業者がＨＴ１０に所望の数字を入力する際に用いる。実行ボタンＳはスキャナ部１０Ｂがコードイメージの読み取りを実行する際に用いる。切替えボタンＢは後述する表示部である液晶表示ディスプレイ１０Ｆに表示された画面を前の画面に切り替える際に用いる。切替えボタンＮは液晶表示ディスプレイ１０Ｆに表示された画面を次の画面に切り替える際に用いる。つまり、操作部は液晶表示ディスプレイ１０Ｆに表示された情報を切り替える。出力部１０Ｅは液晶表示ディスプレイ１０Ｆ、ブザー（図示せず）、及びバイブレータ（図示せず）を有している。液晶表示ディスプレイ１０Ｆは、コードイメージをスキャナ部１０Ｂで読み取ってコードイメージに対応付けられた情報を表示したり、後述する制御部内に記憶されているプログラムを実行して得られた結果を表示したり、作業者に次に行う操作をするように促したり、ＨＴ１０の操作に誤りがあることを作業者に知らせたりすることができる。また、液晶表示ディスプレイ１０Ｆは文字や記号に加えて画像も表示することができる。ブザーは制御部内に記憶されているプログラムを実行して得られた結果に合わせて音を発することができる。バイブレータは制御部内に記憶されているプログラムを実行して得られた結果に合わせて振動することができる。
【００２１】
制御部はＨＴ本体１０Ａ内に設けられている。制御部は、スキャナ部１０Ｂが読み取ったコードイメージに含まれるデータ、ＵＩ１０Ｃの入力部１０Ｄを操作することによって入力されたデータ、及び通信部がデータベースと無線通信して取得したデータ等に基づいて、制御部内に記憶されているプログラムを実行する。そして、スキャナ部１０Ｂが読み取ったコードイメージに含まれるデータ、ＵＩ１０Ｃの入力部１０Ｄを操作することによって入力されたデータ、及び通信部がデータベースと無線通信して取得したデータ等を互いに比較したり、プログラムを実行して得られた結果をＵＩ１０Ｃの出力部１０Ｅへ出力したり、通信部を介してデータサーバへデータを送信したりすることができる。
【００２２】
電源部は電池部、及び電源回路部を具備している。電源部はＨＴ１０を動作させるための電力をＨＴ１０の各部に供給することができる。電池部は、例えば繰り返して充放電することができるリチウムイオン電池等が用いられる。電源回路部は電池部から出力された電力を基にして、大きさを調節した電力を生成する。電源回路部は大きさを調節した電力をＨＴ１０の各部に供給することができる。
【００２３】
また、ＨＴ１０は内部にメモリカード（図示せず）が設けられている。メモリカードはＨＴ１０に対して着脱自在である。メモリカードは通信部がデータサーバと無線通信することによってデータベースから取得した部品の全体画像や、部品の特徴部画像等を記憶することができる。
【００２４】
ここで、部品の全体画像、及び部品の特徴部画像について、図２を用いて説明する。部品の全体画像２０Ａは部品の全体を示した画像である。部品の特徴部画像２０Ｄは部品の全体画像２０Ａのみでは部品の確認が難しい場合に参照する画像であり、部品の特徴部を示す画像である。
【００２５】
部品の全体画像２０Ａ、及び部品の特徴部画像２０Ｄは、部品に付属する付属品、部品に類似する他の部品と異なる寸法、及び部品に類似する他の部品と異なる特徴部を示すことができる。
【００２６】
本体部品に付属する付属部品を示す場合、部品の全体画像２０Ａには、本体部品９０と共に付属部品９０Ａを示す（図２（Ａ）参照。）。そして、部品の特徴部画像２０Ｄには、付属部品９０Ａを拡大して示す（図２（Ｂ）参照。）。
【００２７】
部品に類似する他の部品と異なる寸法を示す場合、部品の全体画像２０Ａ、又は部品の特徴部画像２０Ｄに、部品９１と共に部品９１に類似する他の部品と異なる寸法Ｘ、Ｙ等が表示される（図２（Ｃ）参照。）。
【００２８】
部品に類似する他の部品と異なる特徴部を示す場合、部品の全体画像２０Ａには、部品９２を示す（図２（Ｄ）参照。）。そして、部品の特徴部画像２０Ｄには、部品９２が他の部品と異なる特徴部９２Ａを拡大して示す（図２（Ｅ）参照。）。例えば、部品と異なる特徴部９２Ａとは、部品９２に対してインク等を塗布して印されたマーキングの色やマーキングの有無等、部品９２に設けられた刻印や孔等の形状の有無等、及び部品９２に設けられたこれらマーキングや形状の位置等である。なお、部品の状態に応じて、部品の全体画像２０Ａ、及び部品の特徴部画像２０Ｄを用いて、部品に付属する付属品、部品に類似する他の部品と異なる寸法、及び部品に類似する他の部品と異なる特徴部を複合的に示すこともできる。
【００２９】
次に、出庫指示書について、図３を用いて説明する。出庫指示書３０は倉庫内に保管された様々な種類の部品の中から、出庫する部品を選び、選んだ部品を出庫指示数に従い出庫する際に参照するものである。出庫指示書３０は部品を出庫する作業者が携帯する。出庫指示書３０は、組立品番３０Ａ、管理番号３０Ｂ、機種名３０Ｃ、出庫日３０Ｄ、組立数３０Ｅ、棚番３０Ｆ、部品品番３０Ｇ、部品名３０Ｈ、出庫指示数３０Ｊ、及び情報コードであり第１情報コードである第１コードイメージ３０Ｋ等が印字されている。
【００３０】
組立品番３０Ａは出庫指示書３０に印字された後述する部品品番３０Ｇの各部品を用いて組み立てる組立品（図示せず）に対して付された番号である。管理番号３０Ｂは出庫指示書３０と、他の出庫指示書とを区別する番号である。つまり、管理番号はそれぞれの出庫指示書に１つずつ付され、同じ管理番号が異なる出庫指示書に付されることはない。管理番号３０Ｂは出庫指示書３０に印字されている組立品番３０Ａ、機種名３０Ｃ、出庫日３０Ｄ、組立数３０Ｅ、棚番３０Ｆ、部品品番３０Ｇ、部品名３０Ｈ、出庫指示数３０Ｊ等と対応付けられている。機種名３０Ｃは組立品番３０Ａに対応した組立品が用いられる製品に付された名称である。出庫日３０Ｄは出庫指示書３０に印字された部品品番３０Ｇの各部品を出庫する日付である。
【００３１】
組立数３０Ｅは組立品番３０Ａに対応した組立品の数である。棚番３０Ｆは部品品番３０Ｇの各部品が収納されて保管されているそれぞれの棚に付された番号である。部品品番３０Ｇは各部品のそれぞれに付された番号である。部品名３０Ｈは各部品のそれぞれに付された名称である。出庫指示数３０Ｊは部品品番３０Ｇの各部品のそれぞれを出庫する数である。
【００３２】
ここで、組立品番３０Ａ、組立数３０Ｅ、及び出庫指示数３０Ｊの関係について説明する。例えば、組立数３０Ｅが１つである場合、組立品番３０Ａに対応した組立品が１つであることを示す。また、組立数３０Ｅが５つである場合、部品品番３０Ｇの各部品のそれぞれの出庫指示数３０Ｊは、組立数３０Ｅが１つである場合に比べて５倍の数である。
【００３３】
第１コードイメージ３０Ｋは数字やアルファベット等の記号を特定の法則で羅列したコードをエンコードしたものを色の濃淡によって表現したものである。第１コードイメージ３０Ｋは、例えば一次元コードやマトリクス型二次元コード等が用いられる。第１コードイメージ３０Ｋは出庫指示書３０に印字された管理番号３０Ｂ等がエンコードされている。
【００３４】
次に、棚、及び棚内における部品の保管形態について、図４を用いて説明する。
【００３５】
棚５０は倉庫内に複数が設置されている。また、これら棚５０はそれぞれに部品を保管する複数の箱５０Ａが載置されている。これら箱５０Ａはそれぞれに１つの種類の複数の部品５０Ｂが収納されて保管されている。これら部品５０Ｂは箱５０Ａ毎に種類が異なる。また、これら部品５０Ｂの内、出庫する部品を出庫部品という。また、棚５０はそれぞれの箱５０Ａが載置された場所に対応して複数の棚ラベル５０Ｃが取り付けられている。これら棚ラベル５０Ｃは棚番５０Ｄ、部品品番５０Ｅ、及び情報コードであり第２情報コードである第２コードイメージ５０Ｆ等が印字されている。つまり、棚ラベル５０Ｃでは棚番５０Ｄと部品品番５０Ｅとが対応付けられている。
【００３６】
棚番５０Ｄは棚５０に箱５０Ａが載置された場所毎に付された番号である。部品品番５０Ｅは棚番５０Ｄの棚５０に載置された箱５０Ａに収納されて保管されている部品５０Ｂ（以降、棚番５０Ｄの部品５０Ｂという）の番号である。棚番５０Ｄ、及び部品品番５０Ｅは出庫指示書３０に印字された棚番３０Ｆ及び部品品番３０Ｇに対応している。これにより、作業者は出庫指示書３０に印字された棚番３０Ｆを目視で確認して、棚番３０Ｆに対応した棚番５０Ｄの棚５０に移動することもできる。また、作業者は出庫指示書３０に印字された部品品番３０Ｇと部品品番５０Ｅとを目視で確認して比較することもできる。第２コードイメージ５０Ｆは棚番５０Ｄ、及び棚番５０Ｄの部品５０Ｂの部品品番５０Ｅ等がエンコードされている。
【００３７】
また、部品５０Ｂには現品票７０（図５参照）が付されている。現品票７０は部品品番７０Ａ、及び情報コードであり第３情報コードである第３コードイメージ７０Ｂ等が印字されている。部品品番７０Ａは出庫指示書３０に印字された部品品番３０Ｇに対応している。これにより、作業者は出庫指示書３０に印字された部品品番３０Ｇと部品品番７０Ａとを目視で確認して比較することもできる。第３コードイメージ７０Ｂは部品品番７０Ａ等がエンコードされている。なお、部品５０Ｂが現品票７０を付すことができない形態である場合、現品票７０は部品５０Ｂが収納されて保管されている箱５０Ａに１つ付されている。
【００３８】
次に、このＨＴ１０を用いた出庫部品特定方法について、図１〜７を用いて説明する。
【００３９】
≪出庫指示書の読み取り≫
先ず、ＨＴ１０の電源をＯＮにする。すると、ＨＴ１０は液晶表示ディスプレイ１０Ｆに第１画面２０を表示する（図７（Ａ）参照。）。詳しくは、第１画面２０は出庫指示書３０の第１コードイメージ３０Ｋを読み取ることを作業者に対して促す画面である。
【００４０】
次に、作業者が出庫指示書３０の第１コードイメージ３０ＫをＨＴ１０のスキャナ部１０Ｂで読み取る（ステップＳ１）。このとき、例えば、作業者がスキャナ部１０Ｂを第１コードイメージ３０Ｋに対向させて実行ボタンＳを押下する。すると、ＨＴ１０は第１コードイメージ３０Ｋに含まれた管理番号３０Ｂ等のデータを取得する。そしてＨＴ１０は通信部がデータサーバと無線通信して、データサーバに記憶されたデータベース（以降、データベースという）をスキャナ部１０Ｂによって読み取った第１コードイメージ３０Ｋに含まれた管理番号３０Ｂによって検索する。そして、ＨＴ１０は管理番号３０Ｂに対応する部品品番３０Ｇの各部品の出庫指示数３０Ｊ（以降、出庫指示数３０Ｊという）、及び部品品番３０Ｇの各部品の在庫数のデータを取得する。
【００４１】
そして、ＨＴ１０は制御部において、部品の在庫数と出庫指示数３０Ｊとを比較する。部品の在庫数が出庫指示数３０Ｊより大きい（所定用件を満たす）場合、さらに、ＨＴ１０は通信部がデータサーバと無線通信して、データサーバの出庫計画から第１コードイメージ３０Ｋに対応する出庫指示内容を取得する（ステップＳ２）。具体的には、データベースをスキャナ部１０Ｂによって読み取った第１コードイメージ３０Ｋに含まれた管理番号３０Ｂによって検索する。そして、ＨＴ１０は管理番号３０Ｂに対応した組立品番３０Ａ、機種名３０Ｃ、出庫日３０Ｄ、組立数３０Ｅ、棚番号である棚番３０Ｆ、部品品番３０Ｇ、部品名３０Ｈ、部品の全体画像２０Ａ、及び部品の特徴部画像２０Ｄ等のデータを取得する。管理番号３０Ｂに対応した、これら組立品番３０Ａ、機種名３０Ｃ、出庫日３０Ｄ、組立数３０Ｅ、棚番３０Ｆ、部品品番３０Ｇ、部品名３０Ｈ、部品の全体画像２０Ａ、及び部品の特徴部画像２０Ｄ等のデータは出庫指示内容である。
【００４２】
すると、ステップＳ３に移行して、ＨＴ１０は液晶表示ディスプレイ１０Ｆに、第２画面２１を表示する（図７（Ｂ）参照。）。詳しくは、第２画面２１は部品の全体画像２０Ａ、部品品番２０Ｂ、及び棚番２０Ｃ等を示すことができる。これら部品の全体画像２０Ａ、部品品番２０Ｂ、及び棚番２０Ｃは、出庫指示書３０に印字された部品品番３０Ｇの各部品の中の出庫していない部品の１つについてのデータであり、取得した出庫指示内容の一部である。すなわち、全体画像２０Ａ、部品品番２０Ｂ、及び棚番２０Ｃは出庫指示内容である。また、部品品番２０Ｂは部品品番３０Ｇに対応し、棚番２０Ｃは棚番３０Ｆに対応している。なお、第２画面２１に部品品番２０Ｂの部品に対応した部品の在庫数を示しても良い。以上が、出庫する出庫部品についての情報を有する出庫指示書３０に印字された第１コードイメージ３０Ｋをスキャナ部１０Ｂで読み取って、部品５０Ｂについての情報が保存されたデータベースから、第１コードイメージ３０Ｋに対応する部品５０Ｂの全体画像２０Ａ、部品５０Ｂの特徴を示す特徴部画像２０Ｄ、部品５０Ｂの部品品番３０Ｇ、及び部品５０Ｂが収納される棚５０の場所を示す棚番３０Ｆを含む情報を取得して、全体画像２０Ａと共に、棚番３０Ｆを液晶表示ディスプレイ１０Ｆに表示させる工程である。
【００４３】
また、出庫指示書３０に印字された部品品番３０Ｇの各部品の中に部品の在庫数が出庫指示数３０Ｊより少ない部品がある場合、液晶表示ディスプレイ１０Ｆに第３画面２２を表示する（図７（Ｃ）参照。）。詳しくは、第３画面２２は部品の在庫数が出庫指示数３０Ｊより少ない部品についての部品品番２０Ｂ、出庫指示数２０Ｇ、出庫指示数２０Ｇに対する部品の在庫数の不足数２０Ｈ等を示すことができる。出庫指示数２０Ｇは出庫指示数３０Ｊに対応している。
【００４４】
また、第３画面２２は部品の在庫数が出庫指示数３０Ｊより少ない他の部品がある場合、部品品番２０Ｂ、出庫指示数２０Ｇ、出庫指示数２０Ｇに対する部品の在庫数の不足数２０Ｈ等と共に、他の部品の部品品番２０Ｅ、出庫指示数２０Ｊ、及び出庫指示数２０Ｊに対する部品の在庫数の不足数２０Ｋ等も示すことができる。ここで、部品の在庫数は、出庫指示数２０Ｇ，２０Ｊのそれぞれから不足数２０Ｈ，２０Ｋを除した数である。出庫指示数２０Ｊは出庫指示数３０Ｊに対応している。また、第３画面２２が表示された状態で切替えボタンＢを押下すると、液晶表示ディスプレイ１０Ｆに第１画面２０を表示することができる。
【００４５】
そして、第３画面２２が表示された状態で切替えボタンＮを押下すると、さらに通信部がデータサーバと無線通信する。すると、ＨＴ１０はデータベースから管理番号３０Ｂに対応した組立品番３０Ａ、機種名３０Ｃ、出庫日３０Ｄ、組立数３０Ｅ、棚番３０Ｆ、部品品番３０Ｇ、部品名３０Ｈ、部品の全体画像２０Ａ、及び部品の特徴部画像２０Ｄ等のデータを取得する。すると、ＨＴ１０は液晶表示ディスプレイ１０Ｆに第２画面２１を表示する。
【００４６】
そして、作業者が出庫指示書３０及びＨＴ１０を携帯しつつ出庫する部品が保管されている棚番５０Ｄの棚５０に向かって移動する。このとき、作業者は液晶表示ディスプレイ１０Ｆに表示された第２画面２１に示された棚番２０Ｃに対応する棚番５０Ｄの棚５０に向かい移動する。そして、作業者が棚番２０Ｃに対応する棚番５０Ｄの棚５０に到着すると、作業者はＨＴ１０の液晶表示ディスプレイ１０Ｆに表示された第２画面２１に示された部品の全体画像２０Ａと、棚番２０Ｃに対応する棚番５０Ｄの部品５０Ｂとを目視で比較する。これにより、作業者は棚番２０Ｃに対応する棚番５０Ｄの部品５０Ｂが出庫する部品であるかどうか、おおよその確認をすることができる。
【００４７】
≪棚ラベルの読み取り≫
次に、ＨＴ１０を用いて棚番５０Ｄに取り付けられた棚ラベル５０Ｃに印字されている第２コードイメージ５０Ｆを読み取る（ステップＳ４）。このとき、例えば、作業者がスキャナ部１０Ｂを第２コードイメージ５０Ｆに対向させて実行ボタンＳを押下する。これにより、ＨＴ１０は第２コードイメージ５０Ｆに含まれた棚番５０Ｄ、及び棚番５０Ｄの部品５０Ｂの部品品番５０Ｅ等のデータを取得する。そして、ＨＴ１０は第２コードイメージ５０Ｆを読み取り取得した部品品番５０Ｅのデータと、第２画面２１に示されている部品品番２０Ｂのデータ（すなわち、部品品番３０Ｇ）とを比較する（ステップＳ５）。ここで、部品品番５０Ｅは棚番５０Ｄに対応付けられており、部品品番２０Ｂは棚番２０Ｃ（すなわち、棚番３０Ｆ）に対応付けられている。つまり、ステップＳ５において、棚番５０Ｄと棚番２０Ｃ（棚番３０Ｆ）とを間接的に比較していることになる。なお、ステップＳ５において、棚番５０Ｄのデータと、棚番２０Ｃ（棚番３０Ｆ）のデータとを直接的に比較してもよい。
【００４８】
ステップＳ５において、部品品番５０Ｅのデータと、部品品番２０Ｂのデータとが同じ場合、ステップＳ６に移行して、液晶表示ディスプレイ１０Ｆに第４画面２３を表示する（図７（Ｄ）参照）。詳しくは、第４画面２３は部品の特徴部画像２０Ｄ、部品品番２０Ｂ、及び棚番２０Ｃ等を示すことができる。なお、第４画面２３において、部品品番２０Ｂは部品品番５０Ｅ又は部品品番３０Ｇに対応し、棚番２０Ｃは棚番５０Ｄ又は棚番３０Ｆに対応している。つまり、液晶表示ディスプレイ１０Ｆは棚５０に備えられた第２コードイメージ５０Ｆをスキャナ部１０Ｂが読み取ると、所定要件の下で部品の特徴部画像２０Ｄを表示する。なお、部品毎の違いが全体画像２０Ａで判別できる場合は、特徴部画像２０Ｄを表示させないようにしたり、特徴部画像２０Ｄに替えて全体画像２０Ａを表示したりすることもできる。これら部品の特徴部画像２０Ｄ、部品品番２０Ｂ、及び棚番２０Ｃは、出庫指示書３０に印字された部品品番３０Ｇの各部品の中の出庫していない部品の１つについてのデータであり、取得した出庫指示内容の一部である。なお、第４画面２３に部品品番２０Ｂの部品に対応した部品の在庫数を示しても良い。つまり、液晶表示ディスプレイ１０Ｆは第１コードイメージ３０Ｋに含まれた管理番号３０Ｂに対応する、部品の特徴部画像２０Ｄの情報を表示する。これにより、作業者は棚番５０Ｄの部品５０Ｂが出庫する部品であるかどうか、詳しく確認することができる。また、このとき、ＨＴ１０のブザー及び／又はバイブレータを合わせて作動させる。これにより、ＨＴ１０は作業者に部品品番５０Ｅのデータと、部品品番２０Ｂのデータとを比較した結果をより確実に知らせることができる。また、このとき、切替えボタンＢを押下すると、液晶表示ディスプレイ１０Ｆに部品の全体画像２０Ａを示す第２画面２１を表示することができる。これにより、作業者が部品の全体画像２０Ａを再び確認することができるため、棚番５０Ｄの部品５０Ｂが出庫する部品であるかどうか、より正確に確認することができる。なお、ステップＳ５において、棚番５０Ｄのデータと、棚番２０Ｃ（棚番３０Ｆ）のデータとが同じ場合、ステップＳ６に移行してもよい。以上が、棚５０の場所についての情報を有する棚ラベル５０Ｃに印字された第２コードイメージ５０Ｆをスキャナ部１０Ｂで読み取って取得した情報と部品品番３０Ｇ又は棚番３０Ｆの少なくとも一方とが一致すると、部品５０Ｂの特徴を示す特徴部画像２０Ｄと共に、部品品番３０Ｇを液晶表示ディスプレイ１０Ｆに表示させる工程である。
【００４９】
また、ステップＳ５において、第２コードイメージ５０Ｆを読み取り取得した部品品番５０Ｅのデータと、第２画面２１に示されている部品品番２０Ｂのデータとが同じでない場合、ステップＳ１３に移行して、液晶表示ディスプレイ１０Ｆに第５画面２４を表示する（図７（Ｅ）参照。）。詳しくは、第５画面２４は部品品番５０Ｅのデータと部品品番２０Ｂ（部品品番３０Ｇ）のデータとを並べて示す。これにより、作業者は部品品番５０Ｅのデータと部品品番２０Ｂのデータとの互いに異なる部分を容易に判別することができる。また、このとき、ＨＴ１０のブザー及び／又はバイブレータを合わせて複数回作動させる。これにより、ＨＴ１０は作業者に部品品番５０Ｅのデータと、部品品番２０Ｂのデータとを比較した結果をより確実に知らせることができる。また、液晶表示ディスプレイ１０Ｆに第５画面２４が表示された状態で切替えボタンＢを押下すると、ステップＳ３に移行して、液晶表示ディスプレイ１０Ｆに第２画面２１を表示することができる。なお、ステップＳ５において、棚番５０Ｄのデータと、棚番２０Ｃ（棚番３０Ｆ）のデータとが同じでない場合、第５画面２４にステップＳ３に棚番５０Ｄのデータと、棚番２０Ｃ（棚番３０Ｆ）のデータとを並べて示してもよい。
【００５０】
≪現品票の読み取り≫
次に、作業者がＨＴ１０を用いて部品５０Ｂ毎、又は箱５０Ａに付された現品票７０に印字された第３コードイメージ７０Ｂを読み取る（ステップＳ７）。このとき、例えば、作業者がスキャナ部１０Ｂを第３コードイメージ７０Ｂに対向させて実行ボタンＳを押下する。これにより、ＨＴ１０は第３コードイメージ７０Ｂに含まれた部品品番７０Ａ等のデータを取得する。
【００５１】
そして、ＨＴ１０は第３コードイメージ７０Ｂを読み取り取得した部品品番７０Ａのデータと、第４画面２３に示されている出庫指示内容である部品品番２０Ｂ（部品品番５０Ｅ又は部品品番３０Ｇ）のデータとを比較する（ステップＳ８）。部品品番７０Ａのデータと、部品品番２０Ｂのデータとが互いに同じ（所定用件を満たす）場合、ステップＳ９に移行して、液晶表示ディスプレイ１０Ｆに第６画面２５を表示する（図７（Ｆ）参照。）。詳しくは、第６画面２５は作業者に第２画面２１、又は第４画面２３に示されていた棚番２０Ｃに対応した棚番５０Ｄ又は棚番３０Ｆの部品５０Ｂを出庫部品として箱５０Ａから取り出した数を入力することを促す画面である。第６画面２５は部品品番２０Ｂ、棚番２０Ｃ、部品品番２０Ｂの部品５０Ｂの部品の在庫数２０Ｌ、部品品番２０Ｂの部品５０Ｂの出庫指示数２０Ｇ、及び出庫数入力欄２０Ｍ等を示す。なお、第６画面２５において、棚番２０Ｃは棚番３０Ｆに対応し、部品品番２０Ｂは部品品番３０Ｇに対応し、出庫指示数２０Ｇは出庫指示数３０Ｊに対応している。出庫数入力欄２０Ｍには作業者が部品５０Ｂを箱５０Ａから取り出した数をＨＴ１０のテンキーＴを操作してＨＴ１０に入力した数を表示する。以上が、収納された部品５０Ｂについての情報を有する現品票７０に印字された第３コードイメージ７０Ｂをスキャナ部１０Ｂで読み取って取得した情報と、部品品番３０Ｇとが一致すると、部品５０Ｂの出庫指示数３０Ｊを液晶表示ディスプレイ１０Ｆに表示させる工程である。また、液晶表示ディスプレイ１０Ｆに第６画面２５が表示された状態で切替えボタンＢを押下すると、液晶表示ディスプレイ１０Ｆに第４画面２３を表示することができる。
【００５２】
また、ステップＳ８において、部品品番７０Ａのデータと、部品品番２０Ｂ（部品品番５０Ｅ又は部品品番３０Ｇ）のデータとが同じでない場合、ステップＳ１４に移行して、液晶表示ディスプレイ１０Ｆに第５画面２４を表示する。このとき、第５画面２４は部品品番７０Ａのデータと部品品番２０Ｂ（部品品番５０Ｅ又は部品品番３０Ｇ）のデータとを並べて示す。また、液晶表示ディスプレイ１０Ｆに第５画面２４が表示された状態で切替えボタンＢを押下すると、ステップＳ６に移行して、液晶表示ディスプレイ１０Ｆに第４画面２３を表示することができる。
【００５３】
≪部品の出庫≫
そして、液晶表示ディスプレイ１０Ｆに第６画面２５が表示された状態で作業者が箱５０Ａから部品品番２０Ｂに対応する部品５０Ｂを出庫部品として取り出す。そして、ＨＴ１０に箱５０Ａから部品５０Ｂを取り出した数をＨＴ１０のテンキーＴを用いてＨＴ１０に入力する（ステップＳ１０）。すると、液晶表示ディスプレイ１０Ｆの第６画面２５の出庫数入力欄２０Ｍに作業者が箱５０Ａから出庫部品として部品５０Ｂを取り出した数が表示される。
【００５４】
そして、作業者が切替えボタンＮを押下する。すると、必要に応じて、取り出した部品５０Ｂに対応する現品票７０をプリンタ等で印字して作成することができる。そして、ＨＴ１０は通信部がデータサーバと無線通信して、箱５０Ａから取り出した部品５０Ｂの部品品番２０Ｂ（部品品番３０Ｇ）と、作業者がテンキーＴを用いてＨＴ１０に入力し、出庫数入力欄２０Ｍに表示された、作業者が部品５０Ｂを出庫部品として箱５０Ａから取り出した数とをデータサーバに送信する。すると、データサーバは箱５０Ａから出庫部品として取り出した部品５０Ｂを出庫する出庫計画を出庫済の状態に変更したり、箱５０Ａから出庫部品として取り出した部品５０Ｂの数をデータベースの部品の在庫数から除したりして更新する（ステップＳ１１）。これにより、管理者等がデータサーバであるＰＣ等を操作したときに、部品５０Ｂの出庫の状態が、出庫前の状態か、一部が出庫された状態か、又は全て出庫された出庫済の状態かを確認することができる。また、ステップＳ１０において作業者がＨＴ１０に入力した数が、出庫指示数３０Ｊより多い場合、作業者がＨＴ１０に入力した数が、出庫指示数３０Ｊより大きいことを示す画面（図示せず）を液晶表示ディスプレイ１０Ｆに表示した後、切替えボタンＢを押下すると、ステップＳ９に移行して、液晶表示ディスプレイ１０Ｆに第６画面２５を表示することもできる。
【００５５】
そして、ステップＳ１２に移行して、出庫指示書３０に印字されて、出庫していない他の部品がある場合、ステップＳ３に移行して、ＨＴ１０は液晶表示ディスプレイ１０Ｆに第２画面２１を表示する。このとき、第２画面２１は他の部品の全体画像、部品品番、棚番等を示している。また、出庫指示書３０に印字された部品品番３０Ｇの各部品を出庫指示数３０Ｊに従い全て出庫した場合、ＨＴ１０は液晶表示ディスプレイ１０Ｆに第１画面２０を表示して、図６に示すフローチャートを終了する。
【００５６】
このように、実施形態１の出庫部品特定方法は、液晶表示ディスプレイ１０Ｆに部品の全体画像２０Ａ、及び部品の特徴部画像２０Ｄを表示することができる。これにより、この出庫部品特定方法は、部品の全体画像２０Ａを用いて出庫しようとしている部品５０Ｂが出庫部品であるかどうかおおよその確認を行い、さらに部品の特徴部画像２０Ｄを用いて出庫しようとしている部品５０Ｂが出庫部品であるかどうか詳しく確認することができる。つまり、この出庫部品特定方法は部品の全体画像２０Ａ、及び部品の特徴部画像２０Ｄを用いて出庫しようとしている部品５０Ｂが出庫部品であるかどうか確認することができるため、出庫しようとしている部品５０Ｂが出庫部品であるかどうかを確実に判別することができる。また、この出庫部品特定方法は、第１コードイメージ３０Ｋ、及び第２コードイメージ５０Ｆをスキャナ部１０Ｂで読み取ることをきっかけにして部品の全体画像２０Ａ、及び部品の特徴部画像２０Ｄを表示することができる。つまり、この出庫部品特定方法は部品の全体画像２０Ａ、及び部品の特徴部画像２０Ｄを表示するための作業を行うことなく、液晶表示ディスプレイ１０Ｆに画像を表示することができるため、操作性が良好である。
【００５７】
また、この出庫部品特定方法は、現品票７０が本来付すべき部品でなく、誤った部品に付されていたり、部品毎の違いが部品の細部であったりする等、全体画像２０Ａでは正確に出庫部品を特定することが難しい場合であっても、出庫部品を確実に特定することができる。
【００５８】
したがって、実施形態１の出庫部品特定方法は、出庫しようとしている部品が出庫部品であるかどうかをより正確に特定することができる。
【００５９】
また、この出庫部品特定方法の特徴部画像２０Ｄには、出庫部品の寸法が表示される。このため、寸法はほぼ同じで、全体画像２０Ａでは違いを判別することができない部品が存在する場合についても、出庫部品を特定することができる。
【００６０】
＜実施形態２＞
実施形態２の出庫部品特定方法は、棚ラベル５０Ｃを読み取らない点、及び部品の全体画像と部品の特徴部画像とを繰り返し切り替えることができる点が実施形態１と異なる。他の構成は実施形態１と同様であり、実施形態１と同一の構成は同一の符号を付して詳細な説明を省略し、同一の方法は詳細な説明を省略する。
【００６１】
≪出庫指示書の読み取り≫
実施形態２の出庫部品特定方法について、図７〜９等を用いて説明する。先ず、ＨＴ１０の電源をＯＮにする。すると、ＨＴ１０は液晶表示ディスプレイ１０Ｆに第１画面２０を表示する（図７（Ａ）参照。）。詳しくは、第１画面２０は出庫指示書３０の第１コードイメージ３０Ｋを読み取ることを作業者に対して促す画面である。
【００６２】
次に、作業者がＨＴ１０を用いて出庫指示書３０の第１コードイメージ３０Ｋを読み取る（ステップＳ２１）。すると、ＨＴ１０は取得した管理番号３０Ｂによってデータベースを検索する。そして、データサーバの出庫計画から第１コードイメージ３０Ｋに対応する出庫指示内容を取得する（ステップＳ２２）。具体的には、ＨＴ１０は管理番号３０Ｂに対応した組立品番３０Ａ、機種名３０Ｃ、出庫日３０Ｄ、組立数３０Ｅ、棚番３０Ｆ、部品品番３０Ｇ、部品名３０Ｈ、部品の全体画像、及び部品の特徴部画像等のデータを取得する。管理番号３０Ｂに対応した、これら組立品番３０Ａ、機種名３０Ｃ、出庫日３０Ｄ、組立数３０Ｅ、棚番３０Ｆ、部品品番３０Ｇ、部品名３０Ｈ、部品の全体画像、及び部品の特徴部画像等のデータは出庫指示内容である。すると、ＨＴ１０はステップＳ２３に移行して、液晶表示ディスプレイ１０Ｆに第７画面４０を表示する（図９（Ａ）参照。）。詳しくは、第７画面４０は部品の全体画像２０Ａ、部品品番２０Ｂ、及び棚番２０Ｃ等を示すことができる。これら部品の全体画像２０Ａ、部品品番２０Ｂ、及び棚番２０Ｃは、出庫指示書３０に印字された部品品番３０Ｇの各部品の中の出庫していない部品の１つについてのデータである。なお、第７画面４０において、部品品番２０Ｂは部品品番３０Ｇに対応し、棚番２０Ｃは棚番３０Ｆに対応している。以上が、出庫する部品５０Ｂについての情報を有する出庫指示書３０に印字された第１コードイメージ３０Ｋをスキャナ部１０Ｂで読み取って、部品５０Ｂについての情報が保存されたデータベースから、第１コードイメージ３０Ｋに対応する部品５０Ｂの全体画像２０Ａ、部品５０Ｂの特徴を示す特徴部画像、及び部品５０Ｂの部品品番３０Ｇを含む情報を取得して、部品５０Ｂの全体画像２０Ａと共に、部品品番３０Ｇを液晶表示ディスプレイ１０Ｆに表示させる工程である。
【００６３】
次に、ステップＳ２４に移行して、液晶表示ディスプレイ１０Ｆに第７画面４０が表示された状態で切替えボタンＮを押下すると、ステップＳ２５に移行して、液晶表示ディスプレイ１０Ｆに第８画面４１を表示する（図９（Ｂ）参照。）。詳しくは、第８画面４１は部品の特徴部画像２０Ｄ、部品品番２０Ｂ、及び棚番２０Ｃ等を示すことができる。これら部品の特徴部画像２０Ｄ、部品品番２０Ｂ、及び棚番２０Ｃは、出庫指示書３０に印字された部品品番３０Ｇの各部品の中の出庫していない部品の１つについてのデータであり、取得した出庫指示内容の一部である。なお、第８画面４１において、部品品番２０Ｂは部品品番３０Ｇに対応し、棚番２０Ｃは棚番３０Ｆに対応している。これにより、作業者は棚番５０Ｄの部品５０Ｂが出庫する部品であるかどうか、詳しく確認することができる。また、液晶表示ディスプレイ１０Ｆに第８画面４１が表示された状態で切替えボタンＢを押下する（ステップＳ２６）と、ステップＳ２３に移行して、液晶表示ディスプレイ１０Ｆに第７画面４０を表示することができる。つまり、このＨＴ１０は切替えボタンＮ、及び切替えボタンＢを押下することによって、液晶表示ディスプレイ１０Ｆに部品の全体画像２０Ａ、及び部品の特徴部画像２０Ｄを切り替えて繰り返し表示することができるため、棚番５０Ｄの部品５０Ｂが出庫する部品であるかどうか、より正確に確認することができる。以上が、切替えボタンＮ、及び切替えボタンＢを操作して、液晶表示ディスプレイ１０Ｆに表示された全体画像２０Ａ又は特徴部画像２０Ｄのいずれか一方から他方へ切り替える工程である。
【００６４】
≪現品票の読み取り≫
次に、部品の全体画像２０Ａ及び部品の特徴部画像２０Ｄと、棚番５０Ｄの部品５０Ｂとが同じであることを確認した後、作業者がＨＴ１０を用いて部品５０Ｂ毎、又は箱５０Ａに付された現品票７０に印字された第３コードイメージ７０Ｂを読み取る（ステップＳ２７）。これにより、ＨＴ１０は第３コードイメージ７０Ｂに含まれた部品品番７０Ａ等のデータを取得する。
【００６５】
そして、ＨＴ１０は部品品番７０Ａのデータと、部品品番２０Ｂ（部品品番３０Ｇ）のデータとを比較する（ステップＳ２８）。部品品番７０Ａのデータと、部品品番２０Ｂとが互いに同じ（所定用件を満たす）場合、液晶表示ディスプレイ１０Ｆに第６画面２５を表示する（図７（Ｆ）参照。）。以上が、収納された部品５０Ｂについての情報を有する現品票７０に印字された第３コードイメージ７０Ｂをスキャナ部１０Ｂで読み取って取得した情報と、部品品番３０Ｇとが一致すると、部品５０Ｂの出庫指示数３０Ｊを表示させる工程である。また、液晶表示ディスプレイ１０Ｆに第６画面２５が表示された状態で切替えボタンＢを押下すると、液晶表示ディスプレイ１０Ｆに第８画面４１を表示することができる。
【００６６】
また、部品品番７０Ａのデータと、部品品番２０Ｂ（部品品番３０Ｇ）のデータとが同じでない場合、ステップＳ２９に移行して、液晶表示ディスプレイ１０Ｆに第５画面２４を表示する（図７（Ｅ）参照。）。このとき、第５画面２４は部品品番７０Ａのデータと部品品番２０Ｂ（部品品番３０Ｇ）のデータとを並べて示す。また、液晶表示ディスプレイ１０Ｆに第５画面２４が表示された状態で切替えボタンＢを押下すると、液晶表示ディスプレイ１０Ｆに第８画面４１を表示することができる（ステップＳ２５）。
【００６７】
このように、実施形態２の出庫部品特定方法は、液晶表示ディスプレイ１０Ｆに部品の全体画像２０Ａ、及び部品の特徴部画像２０Ｄを表示することができる。これにより、この出庫部品特定方法は、部品の全体画像２０Ａを用いて出庫しようとしている部品５０Ｂが出庫部品であるかどうかおおよその確認を行い、さらに部品の特徴部画像２０Ｄを用いて出庫しようとしている部品５０Ｂが出庫部品であるかどうか詳しく確認することができる。つまり、この出庫部品特定方法は部品の全体画像２０Ａ、及び部品の特徴部画像２０Ｄを用いて出庫しようとしている部品５０Ｂが出庫部品であるかどうか確認することができるため、出庫しようとしている部品５０Ｂが出庫部品であるかどうかを確実に判別することができる。また、この出庫部品特定方法は、入力部１０Ｄを操作することによって、部品の全体画像２０Ａ、及び部品の特徴部画像２０Ｄを切り替えて表示することができる。つまり、この出庫部品特定方法は部品の全体画像２０Ａ、及び部品の特徴部画像２０Ｄを作業者の所望のときに切り替えることができる。
【００６８】
また、この出庫部品特定方法は、現品票７０が本来付すべき部品でなく、誤った部品に付されていたり、部品毎の違いが部品の細部であったりする等、全体画像２０Ａでは正確に出庫部品を特定することが難しい場合であっても、出庫部品を確実に特定することができる。
【００６９】
したがって、実施形態２の出庫部品特定方法も、出庫しようとしている部品が出庫部品であるかどうかをより正確に特定することができる。
【００７０】
＜実施形態３＞
実施形態３の出庫部品特定方法は、現品票７０の第３コードイメージ７０Ｂを読み取らず、棚ラベル５０Ｃの第２コードイメージ５０Ｆを読み取る点が実施形態１及び２と異なる。他の構成は実施形態１又は２と同様であり、実施形態１又は２と同一の構成は同一の符号を付して詳細な説明を省略し、同一の方法は詳細な説明を省略する。
【００７１】
≪出庫指示書の読み取り≫
実施形態３の出庫部品特定方法について、図７、１０等を用いて説明する。先ず、ＨＴ１０の電源をＯＮにする。すると、ＨＴ１０は液晶表示ディスプレイ１０Ｆに第１画面２０を表示する（図７（Ａ）参照。）。
【００７２】
そして、作業者がＨＴ１０を用いて出庫指示書３０の第１コードイメージ３０Ｋを読み取る。すると、ＨＴ１０は取得した管理番号３０Ｂによってデータベースを検索する。そして、ＨＴ１０は管理番号３０Ｂに対応した組立品番３０Ａ、機種名３０Ｃ、出庫日３０Ｄ、組立数３０Ｅ、棚番３０Ｆ、部品品番３０Ｇ、部品名３０Ｈ、部品の全体画像、及び部品の特徴部画像等のデータを取得する。すると、ＨＴ１０は液晶表示ディスプレイ１０Ｆに第９画面６０を表示する（図１０（Ａ）参照。）。詳しくは、第９画面６０は部品の全体画像２０Ａ、部品品番２０Ｂ、及び棚番２０Ｃ等を示すことができる。これら部品の全体画像２０Ａ、部品品番２０Ｂ、及び棚番２０Ｃは、出庫指示書３０に印字された部品品番３０Ｇの各部品の中の出庫していない部品の１つについてのデータである。なお、第９画面６０において、部品品番２０Ｂは部品品番３０Ｇに対応し、棚番２０Ｃは棚番３０Ｆに対応している。
【００７３】
また、ＨＴ１０の液晶表示ディスプレイ１０Ｆに第９画面６０が表示された状態で切替えボタンＮを押下すると、液晶表示ディスプレイ１０Ｆに第１０画面６１を表示する（図１０（Ｂ）参照。）。詳しくは、第１０画面６１は部品の特徴部画像２０Ｄ、部品品番２０Ｂ、及び棚番２０Ｃ等を示すことができる。これら部品の特徴部画像２０Ｄ、部品品番２０Ｂ、及び棚番２０Ｃは、出庫指示書３０に印字された部品品番３０Ｇの各部品の中の出庫していない部品の１つについてのデータである。なお、第１０画面６１において、部品品番２０Ｂは部品品番３０Ｇに対応し、棚番２０Ｃは棚番３０Ｆに対応している。これにより、作業者は棚番５０Ｄの部品５０Ｂが出庫する部品であるかどうか、詳しく確認することができる。また、液晶表示ディスプレイ１０Ｆに第１０画面６１が表示された状態で切替えボタンＢを押下すると、液晶表示ディスプレイ１０Ｆに第９画面６０を表示することができる。つまり、このＨＴ１０は切替えボタンＮ、及び切替えボタンＢを押下することによって、液晶表示ディスプレイ１０Ｆに部品の全体画像２０Ａ、及び部品の特徴部画像２０Ｄを切り替えて繰り返し表示することができるため、棚番５０Ｄの部品５０Ｂが出庫する部品であるかどうか、より正確に確認することができる。つまり、このＨＴ１０の液晶表示ディスプレイ１０Ｆは入力部１０Ｄの切替えボタンＮ、及び切替えボタンＢの操作によって、部品の全体画像２０Ａと、部品の特徴部画像２０Ｄとを切り替えて表示する。
【００７４】
≪棚ラベルの読み取り≫
次に、部品の全体画像２０Ａ及び部品の特徴部画像２０Ｄと、棚番５０Ｄの部品５０Ｂとが同じであることを確認した後、作業者がＨＴ１０を用いて棚ラベル５０Ｃに印字された第２コードイメージ５０Ｆを読み取る。これにより、ＨＴ１０は第２コードイメージ５０Ｆに含まれた部品品番５０Ｅ、棚番５０Ｄ等のデータを取得する。
【００７５】
そして、ＨＴ１０は部品品番５０Ｅのデータと、第９画面６０に示されている部品品番２０Ｂ（部品品番３０Ｇ）のデータとを比較する。部品品番５０Ｅのデータと、部品品番２０Ｂのデータとが互いに同じ（所定用件を満たす）場合、液晶表示ディスプレイ１０Ｆに第６画面２５を表示する（図７（Ｆ）参照。）。つまり、液晶表示ディスプレイ１０Ｆは部品５０Ｂが保管された棚５０に備えられた棚ラベル５０Ｃの第２コードイメージ５０Ｆをスキャナ部１０Ｂが読み取ると、所定要件の下で部品５０Ｂの部品の在庫数２０Ｌ、及び出庫指示数２０Ｇを表示する。また、液晶表示ディスプレイ１０Ｆに第６画面２５が表示された状態で切替えボタンＢを押下すると、液晶表示ディスプレイ１０Ｆに第１０画面６１を表示することができる。なお、棚番５０Ｄのデータと、棚番２０Ｃ（棚番３０Ｆ）のデータとを比較してもよい。
【００７６】
また、部品品番５０Ｅのデータと、部品品番２０Ｂ（部品品番３０Ｇ）のデータとが同じでない場合、液晶表示ディスプレイ１０Ｆに第５画面２４を表示する（図７（Ｅ）参照。）。このとき、第５画面２４は部品品番５０Ｅのデータと部品品番２０Ｂ（部品品番３０Ｇ）のデータとを並べて示している。また、液晶表示ディスプレイ１０Ｆに第５画面２４が表示された状態で切替えボタンＢを押下すると、液晶表示ディスプレイ１０Ｆに第１０画面６１を表示することができる。
【００７７】
このように、実施形態３の出庫部品特定方法は、液晶表示ディスプレイ１０Ｆに部品の全体画像２０Ａ、及び部品の特徴部画像２０Ｄを表示することができる。これにより、この出庫部品特定方法は、部品の全体画像２０Ａを用いて出庫しようとしている部品５０Ｂが出庫部品であるかどうかおおよその確認を行い、さらに部品の特徴部画像２０Ｄを用いて出庫しようとしている部品５０Ｂが出庫部品であるかどうか詳しく確認することができる。つまり、この出庫部品特定方法は部品の全体画像２０Ａ、及び部品の特徴部画像２０Ｄを用いて出庫しようとしている部品５０Ｂが出庫部品であるかどうか確認することができるため、出庫しようとしている部品５０Ｂが出庫部品であるかどうかを確実に判別することができる。また、この出庫部品特定方法は、入力部１０Ｄを操作することによって、部品の全体画像２０Ａ、及び部品の特徴部画像２０Ｄを切り替えて表示することができる。つまり、この出庫部品特定方法は部品の全体画像２０Ａ、及び部品の特徴部画像２０Ｄを作業者の所望のときに切り替えることができる。
【００７８】
したがって、実施形態３の出庫部品特定方法も、出庫しようとしている部品が出庫部品であるかどうかをより正確に特定することができる。
【００７９】
本発明は上記記述及び図面によって説明した実施形態１〜３に限定されるものではなく、例えば次のような実施形態も本発明の技術的範囲に含まれる。
（１）実施形態１〜３では、携帯型端末にバーコードスキャナを設けているが、これに限らず、バーコードスキャナに替えてカメラ等を設けてもよい。
（２）実施形態１〜３では、携帯型端末にテンキー等を設けているが、これに限らず、テンキー等に替えてタッチパネル等を設けてもよい。
（３）携帯型端末として、スマートフォンやタブレット型端末等を用いてもよい。
（４）実施形態１〜３では、データベースがＰＣ等のハードディスクやメモリであるが、これに限らず、データベースをＨＴの内部に設けてもよい。
（５）実施形態１〜３では、通信部がデータベースと無線通信しているが、これに限らず、通信部とデータベースとを通信線で繋ぎ、有線通信を行ってもよい。
【符号の説明】
【００８０】
１０…ハンディターミナル（携帯型端末）、１０Ｂ…スキャナ部、１０Ｄ…入力部（操作部）、１０Ｆ…液晶表示ディスプレイ（表示部）、３０…出庫指示書、３０Ｆ…棚番（棚番号）、３０Ｇ…部品品番、３０Ｋ…第１コードイメージ（第１情報コード）（情報コード）、２０Ａ…全体画像、２０Ｄ…特徴部画像、３０Ｊ…出庫指示数、５０…棚、５０Ｂ…部品（出庫部品）、５０Ｃ…棚ラベル、５０Ｆ…第２コードイメージ（第２情報コード）（情報コード）、７０…現品票、７０Ｂ…第３コードイメージ（第３情報コード）（情報コード）
【図１】
2018150126.tif 000003
【図２】
2018150126.tif 000004
【図３】
2018150126.tif 000005
【図４】
2018150126.tif 000006
【図５】
2018150126.tif 000007
【図６】
2018150126.tif 000008
【図７】
2018150126.tif 000009
【図８】
2018150126.tif 000010
【図９】
2018150126.tif 000011
【図１０】
2018150126.tif 000012